(57)【要約】【課題】  酸化チタンの光触媒作用を利用し、トイレ等での使用済紙類の殺菌処理を効率的に行えるようにしたごみ箱を提供する。【解決手段】  内壁面１Ａに酸化チタンＬＣが塗布され水Ｗを収納可能に形成された容器本体１と、上記容器本体１の開口上部を開閉するとともに内側に紫外線灯Ｌを備えた蓋５と、上記容器本体１内に載置され表面に酸化チタンＬＣを塗布した網籠体７と、上記網籠体７内に投入された使用済紙類Ｐを水で攪拌させ分解する循環ポンプＰＯと、を具備するものである。【選択図】図１
0003111668.tif 000002
【実用新案登録請求の範囲】
【請求項１】
内壁面に酸化チタンが塗布され内部に水を収容可能な容器本体と、上記容器本体の開口上部を開閉可能とするとともに内側に紫外線灯を備えた蓋体と、上記容器本体内に載置され表面に酸化チタンを塗布された網籠体と、上記網籠体内に投入された使用済紙類を水中で攪拌して分解させる循環ポンプと、を具備したことを特徴とするごみ箱。
【請求項２】
循環ポンプは、吐出パイプに孔を開けて網籠体に対してその接線方向よりやや内向きに水を吐出させるようにし、且つ、網籠体の水吐出方向前方に網籠体に沿って湾曲形成された邪魔板を配置したことを特徴とする請求項１記載のごみ箱。
【請求項３】
内壁面に酸化チタンが塗布され内部に水を収容可能な容器本体と、上記容器本体の開口上部を開閉可能とするとともに内側に紫外線灯を備えた蓋体と、上記容器本体内に載置され表面に酸化チタンを塗布された網籠体と、上記網籠体内に投入された使用済紙を水で攪拌して分解させる攪拌羽根と、を具備したことを特徴とするごみ箱。
【請求項４】
容器本体の内壁面を波形形状に形成したことを特徴とする請求項１乃至３記載のごみ箱。
【考案の詳細な説明】
【技術分野】
【０００１】
本考案は、例えばトイレ等で使用されるごみ箱（ダストボックス）に係り、特に、酸化チタンの光触媒作用を利用し、汚物が付着したトイレットペーパー、テッシュペーパー、脱脂綿、不織布等の使用済紙類の分解、滅菌消毒処理を効率的に行えるようにしたものに関する。
【背景技術】
【０００２】
従来からトイレ等でごみ箱が使用されている。その一つに、蓋付き容器であって、内部にバケツが入っており、この中に捨てた使用済みの紙類をバケツを取り出して捨てるようにしたものがある。東南アジア地域では、トイレで使用されるトイレットペーパーは、使用後に汚物と一緒に水洗して流すことなく、ごみ箱に捨て、ゴミとして処理する習慣がある。このごみ箱では、衛生面で病原菌の繁殖の原因となるなど好ましくないことが指摘されている。
【０００３】
他方、菌類を含む汚物自体の処理方法および装置は既に提案されている。その構成を説明すると、処理容器本体は、汚物流入口と、一定時間経過すると自動的に開閉する自動弁が取り付けられた汚物排出口が設けられ、該処理容器の内部には、ロッド先端に攪拌羽根が取り付けられた回転攪拌機が取り付けられている。
【０００４】
また、処理容器の内部上部には、紫外線殺菌灯が取り付けられ、内部中央部には、５ｍｍ〜１ｃｍの粒状の二酸化チタンが、収納用袋内に収納されて、前記処理容器内壁に係止されている（例えば、特許文献１参照。）。上記従来の菌類を含む汚物の処理方法および装置は、処理容器内に流入する汚物を、処理容器内で一定時間の間にわたり紫外線を受ける二酸化チタンの光触媒作用により殺菌処理し、その後に自動開口する自動弁により、外部へ排出されるものである。
【特許文献１】特開平７−２７５３３８号公報
【考案の開示】
【考案が解決しようとする課題】
【０００５】
上記従来の構成によると次のような問題があった。まず、菌類を含む汚物の処理方法および装置においては、被処理物は汚物に限定されている。そして、攪拌羽根により汚物を攪拌して解きほぐしているものの、二酸化チタンは収納用袋内に収納されているから、紫外線殺菌灯からの光線を充分に受けられないし、汚物との接触面積も非常に少ないものとなり、充分な消臭・殺菌効果が得られない。
【０００６】
更に、十分に分解されないままで残っている大粒の汚物等も、自動開口する自動弁により外部へ排出されることとなり、環境問題の観点からも問題があった。従って、上記菌類を含む汚物の処理方法および装置の技術的手段を、直ちにトイレ等で使用されるごみ箱に転用することはできない。
【０００７】
本考案はこのような点に基づいてなされたものでその目的とするところは、酸化チタンの光触媒作用を利用し、例えばトイレでの使用済紙類の分解、滅菌消毒処理を効率的に行えるようにして衛生的な管理を可能としたごみ箱を提供することにある。
【課題を解決するための手段】
【０００８】
上記目的を達成するべく本考案の請求項１によるごみ箱は、内壁面に酸化チタンが塗布され内部に水を収容可能な容器本体と、上記容器本体の開口上部を開閉可能とするとともに内側に紫外線灯を備えた蓋体と、上記容器本体内に載置され表面に酸化チタンを塗布された網籠体と、上記網籠体内に投入された使用済紙類を水中で攪拌して分解させる循環ポンプと、を具備したことを特徴とするものである。
【０００９】
また、請求項２によるごみ箱は、請求項１記載のごみ箱において、循環ポンプは、吐出パイプに孔を開けて網籠体に対してその接線方向よりやや内向きに水を吐出させるようにし、且つ、網籠体の水吐出方向前方に網籠体に沿って湾曲形成された邪魔板を配置したことを特徴とするものである。
【００１０】
また、請求項３によるごみ箱は、内壁面に酸化チタンが塗布され内部に水を収容可能な容器本体と、上記容器本体の開口上部を開閉可能とするとともに内側に紫外線灯を備えた蓋体と、上記容器本体内に載置され表面に酸化チタンを塗布された網籠体と、上記網籠体内に投入された使用済紙や汚物等を水で攪拌して分解させる攪拌羽根と、を具備したことを特徴とするものである。
【００１１】
また、請求項４によるごみ箱は、請求項１乃至３記載のごみ箱において、容器本体の内壁面を波形形状に形成したことを特徴とするものである。
【００１２】
本考案のごみ箱は、容器本体内に水を収容するようにしたものであり、容器本体の内壁面や網籠体には酸化チタンが塗布され、この酸化チタンに対して紫外線灯の紫外線が照射される。使用済紙類は容器本体内で攪拌羽根又は循環ポンプで強制的に分解され、内壁面や網籠体の表面に塗布した酸化チタンに効率良く接触させられる。そして、光触媒作用により殺菌される。尚、容器本体内の紫外線灯は、蓋の開閉操作と連動し、開口時は消灯され閉口時にのみ点灯することで、紫外線が作業者の目に照射されない。使用済紙類の分解物は、殺菌処理された状態で下水路に流される。また、水に溶けずに網籠体内に残ったものは、網籠体を容器本体から引き上げて廃棄される。
【考案の効果】
【００１３】
本考案のごみ箱によると、容器本体内に投入された使用済紙類は、水中で循環する水流又は攪拌水流で分解処理され、この分解物が容器本体の内壁面や網籠体に塗布された酸化チタンと接触し、紫外線灯からの紫外線による光触媒作用により殺菌される。また、上記分解物は水とともに下水路へ廃棄処理できる。よって使用済みのトイレット紙や汚物類が衛生的に管理できる。
【００１４】
また、容器本体の内壁面を波形形状に形成した場合は、殺菌効果が一層促進される。また、容器本体内の紫外線灯は、蓋の開閉操作と連動して閉口時にのみ点灯するから、紫外線が作業者の目に照射されず目の保護ができる。また、水に溶けずに網籠体に残ったものは、網籠体を容器本体から引き上げて廃棄することができる。
【考案を実施するための最良の形態】
【００１５】
以下、図１乃至図４を参照して本考案の第１の実施の形態を説明する。図１は本考案のごみ箱１００の斜視図であり、図２はごみ箱の内部構成と電気配線を示す断面図であり、図３と図４は電気回路図である。まず、容器本体１があり、この上部に蓋５を備えている。容器本体１は耐腐食性の強いステンレス又は合成樹脂で形成され、容量１５０〜３００リットルで円筒形をなしている。上記容器本体１の内壁面１Ａには、光触媒作用を発揮する酸化チタンＬＣが吹き付け塗装又は焼き付け塗装により塗布されている。
【００１６】
尚、上記容器本体１の内壁面１Ａは断面波形形状に形成され、この表面に酸化チタンＬＣが広範に塗布されている。これにより、内壁面１Ａの表面積は拡大し、酸化チタンＬＣによる使用済紙類Ｐ等の分解、滅菌・減菌作用が一層高められるようになっている。勿論、上記波形形状は内壁面１Ａの縦方向に形成しても良い。また、単に平坦面としても酸化チタンＬＣによる光触媒作用は充分に発揮できる。
【００１７】
上記容器本体１の開口上部には、蝶番３で開閉自在な蓋５が枢着されており、蓋５の内壁に紫外線灯Ｌを備えている。上記容器本体１の開口上縁には、蓋５の開口縁５Ａを感知するスイッチ手段（例えばリミットスイッチ又は近接スイッチ）Ｓ１を備えている。このスイッチ手段Ｓ１は、蓋５の閉口操作時に上記紫外線灯Ｌを点灯し、蓋５の開口時に上記紫外線灯Ｌを消灯する。上記容器本体１内の床板１Ｂには、表面に酸化チタンＬＣが吹き付け又は焼き付けにより塗布された例えばステンレス製の網籠体７が取り出し自在に載置されている。上記床板１Ｂは、例えばステンレス製の網目板であり、この床板１Ｂの表面にも、酸化チタンＬＣが吹き付け塗装又は焼き付け塗装により塗布されている。勿論、床板１Ｂに酸化チタンＬＣを塗布するか否かは任意に選択される。上記網籠体７と床板１Ｂとの網目の荒さ（メッシュ）は、上記使用済紙類Ｐの分解物Ｗ１を通過させられるように＃１０〜＃１５の範囲に設定されている。
【００１８】
上記容器本体１の内部には、水Ｗが収容可能に形成されており、バケツによる手作業又は水道ホース等で給水される。水Ｗは、容器上部に設けた溢水口９Ａによりオーバーフローした分が排水管９Ｂを介して下水路に排水される。尚、この溢水口９Ａはなくても良い。上記容器本体１の底部には、底板１Ｆが配設されており、この上側の水中に循環ポンプＰＯが設置されている。上記循環ポンプＰＯは、例えば、水中ポンプであって、モータ部がケース内に密閉収納されたものである。そして、上記循環ポンプＰＯには吐出管Ｐ１，吸い込み管Ｐ２が接続され、吐出管Ｐ１は床板１Ｂを通過して容器本体１内の高い位置まで配管されている。これにより、沈殿する分解物Ｗ１が吸い込まれるのを防止している。また、吸い込み管Ｐ２も、床板１Ｂを通過して容器本体１内の高い位置まで配管されている。これで、容器本体１内に循環する水流が形成され、網籠体７内に投入された使用済紙類Ｐは、容器本体１内で水Ｗと一緒に循環されることにより分解される。
【００１９】
本実施の形態では、図３に示すように、循環ポンプＰＯは、吐出管Ｐ１に１乃至複数箇所の孔を開けて網籠体７に対してその接線方向よりやや内向きに水を吐出させるようにし、且つ、網籠体７の水吐出方向前方に網籠体７に沿って湾曲形成された邪魔板８を配置した。これにより、網籠体７内に渦流を形成して、網籠体７内に投入された使用済紙類Ｐをより効率的に分解するものである。よって、溶けやすいトイレットペーパー類はもとより、繊維長が長く溶けにくいティッシュペーパー類の分解も積極的に行うことができる。勿論、本考案のごみ箱は、上記循環ポンプＰＯの構成に限定するものではなく、吐出管Ｐ１に設けた孔を容器本体１の壁面に沿って配置して渦流を形成するようにしても良いし、循環ポンプＰＯの吐出管Ｐ１を任意の方向に配置して、容器本体１内に適宜な水流を形成するようにしても良い。
【００２０】
上記循環ポンプＰＯは電源の投入「オン操作」により駆動され、電源の遮断「オフ操作」により停止される。即ち、電源を手動操作で入切することによりＯＮ−ＯＦＦ制御される。通常は、使用頻度の多い昼間は電源を「オン」とし、夜間は電源を「オフ」とする。また、上記容器本体１の底板１Ｆには排水弁Ｖ２が配置されていて、定期的に底に溜まる沈殿物を下水路に排出する。勿論、この排水弁Ｖ２は省略しても良い。この場合は、容器本体１を手で傾けて下水路等に水と処理済みの沈殿する分解物Ｗ１を排出するように構成されている。
【００２１】
次に、図２乃至図５を参照してごみ箱１００の電気回路を説明する。図２に示すように、電源は１００ボルト商用電源であり、この電源に電源スイッチＳＯを介してコンセント１１で繋がれている。上記電源スイッチＳＯとスイッチ手段Ｓ１と紫外線灯Ｌとが直列接続されている。これにより、電源スイッチＳＯがオンの状態で、蓋５を開けるとスイッチ手段Ｓ１がオフされて紫外線灯Ｌが消灯され、蓋５を閉じるとスイッチ手段Ｓ１がオンされて紫外線灯Ｌが点灯される。更に、上記循環ポンプＰＯは、上記電源スイッチＳＯと直に接続されており、電源スイッチＳＯがオン状態にあると、上記スイッチ手段Ｓ１のオン・オフ動作に関係なく常時運転状態となる。
【００２２】
勿論、図５に示すように、上記循環ポンプＰＯは、紫外線灯Ｌと同様に蓋５を開口した時に運転を停止し、閉口した時のみ運転させるべく、スイッチ手段Ｓ１を直列に介して接続しても良い。これにより、上記紫外線灯Ｌと上記循環ポンプＰＯとは、スイッチ手段Ｓ１のオン・オフにより昼間は電源に常時接続され、夜間は電源スイッチＳＯのオフ操作で遮断されるように手動操作される。尚、蓋５の開閉と連動するスイッチ手段Ｓ１で紫外線灯Ｌのオン・オフ動作を無視しても良いのであれば、スイッチ手段Ｓ１を省略し、電源スイッチＳＯだけで、上記紫外線灯Ｌと上記循環ポンプＰＯのオン・オフを行わせても良い。
【００２３】
以上の構成を基にその作用を説明する。ごみ箱１００は、容器本体１の内壁面１Ａ、網籠体７、床板１Ｂ等に酸化チタンＬＣが塗布されており、昼間は、蓋５閉口時に紫外線灯Ｌから紫外線を照射することで光触媒作用が発揮される。これにより、汚物が付着したトイレットペーパー、テッシュペーパー、脱脂綿、不織布等の使用済紙類Ｐは容器本体１内で循環ポンプＰＯによる渦流で強制的に分解され、内壁面内壁面１Ａや網籠体７の表面に塗布した酸化チタンＬＣに強制的に接触させられる。そして、流体中でも酸化チタンＬＣの光触媒作用が働くことから、使用済紙類Ｐの分解物Ｗ１（汚物Ｏも含む）が光触媒作用により殺菌される。また、同時に消臭効果や減菌効果も発揮される。尚、容器本体１内の紫外線灯Ｌは、蓋５の開閉操作と連動し、開口時は消灯され閉口時にのみ点灯することで、紫外線が作業者の目に照射されない。
【００２４】
上記容器本体１の内壁面１Ａ及び網籠体７、更には床板１Ｂの表面に酸化チタンＬＣを焼付け塗装した場合は、酸化チタンＬＣが剥離しにくくなり、長期間にわたって光触媒作用が維持される。また、上記容器本体１の内壁面１Ａを波形形状に形成したので、平面の場合よりその接触表面積が拡大されて、一層効率良く殺菌効果が発揮される。尚、トイレの使用頻度が少ない夜間時は、電源スイッチＳＯを切るか、又は、コンセント１１を抜いて紫外線の照射や流体の攪拌を停止させる。
【００２５】
また、網籠体７及び床板１Ｂの目の荒さ（メッシュ）を＃１０〜＃１５の範囲に設定することで、使用済紙類Ｐが水Ｗで溶けた分解物Ｗ１の目詰まり現象がなく効率良く流体が網籠体７及び床板１Ｂの網目を通過し循環させやすくなる。殺菌された分解物は、下水路に流して廃棄処理できる。また、水Ｗに溶けずに網籠体７に残ったものは、網籠体７を容器本体１から引き出して別途廃棄される。また、定期的に容器本体１の底部に溜まる沈殿物は、排水弁Ｖ２から下水路等へ排出するか、又は、容器本体１を持ち上げて傾け上部の開口から下水路等へ排出される。
【００２６】
以上本考案の実施の形態によると次のような効果を奏することができる。まず、容器本体１の内壁面１Ａや網籠体７及び床板１Ｂ等に酸化チタンＬＣが塗布され紫外線灯Ｌにより照射されているから、使用済紙類Ｐ（汚物Ｏを含む）を渦流により分解して強制的に容器本体１の内壁面１Ａや網籠体７に接触させ光触媒作用を発揮させることができ、使用済紙類Ｐ（汚物Ｏを含む）の殺菌が効率的にできる。そして、これらの処理済の分解物Ｗ１は下水路等へ廃棄可能であり、衛生的に管理できる。
【００２７】
また、容器本体１の内壁面１Ａを波形形状に形成した場合は、その表面積が広くなって殺菌機能が一層促進される。また、容器本体１内の紫外線灯Ｌは、蓋の開閉操作と連動して閉口時にのみ点灯するようにした場合は、紫外線が作業者の目に照射されず、安全が確保できる。また、水Ｗに溶けずに網籠体７に残ったものは、網籠体７を容器本体１から引き上げて廃棄できる。
【００２８】
上記容器本体１の内壁面１Ａに光触媒作用を発揮する酸化チタンＬＣを焼付け塗布し、網籠体７や床板１Ｂにも、その表面に光触媒作用をする酸化チタンＬＣを焼付け塗布した場合には、酸化チタンＬＣが剥離せず、長期間にわたり殺菌効果が維持できる。
【００２９】
次に、図６乃至図８を参照して本考案の第２の実施の形態を説明する。このごみ箱２００は、上記第１の実施の形態におけるごみ箱１００で採用した循環ポンプＰＯに代えて、攪拌羽根１０を採用したものである。その構成は、上記容器本体１の底板１Ｆの裏側にモータＭを配置し、床板１Ｂとの空間内に攪拌羽根１０を備えたものである。その他の構成は、上記第１の実施の形態と同一であるから、同一符号を付して説明を省略する。また、電気回路図については、図７，図８に示すように、上記第１の実施の形態と同様の構成であり、ただ、循環ポンプＰＯが攪拌羽根１０とモータＭに変更されたものである。
【００３０】
上記第２の実施の形態のごみ箱２００によると、攪拌羽根１０の回転によって容器本体１内の水Ｗを循環させ、その渦流によって使用済紙類Ｐ（汚物Ｏを含む）を攪拌して分解し、強制的に内壁面１Ａや網籠体７の表面に塗布した酸化チタンＬＣに接触させる。これにより、流体中でも酸化チタンの光触媒作用が働くことから、使用済紙類Ｐ（汚物Ｏを含む）が殺菌される。その他の作用は上記第１の実施の形態の場合と同様のものであり、ここでの説明は省略する。
【００３１】
尚、本考案は上記第１の実施の形態に限定されるものではない。例えば、図９，図１０に示すように、第３及び第４の実施の形態のごみ箱３００、４００のように設計変更が可能である。このごみ箱３００、４００は、水Ｗの自動給水を行うべく、容器本体１の外部に水Ｗを供給する供給弁Ｖ１と、容器本体１の上部に供給口９とフロートスイッチ（図示せず）を備え、これらを電源に繋がる制御部ＣＯに接続して自動制御するものである。また、容器本体１の底板１Ｂに設けた排水弁Ｖ２を制御部ＣＯに接続して自動排水するものである。
【００３２】
また、他の変更例として、上記制御部ＣＯに、朝、例えば１２時間後にオフ動作するようにセットしてオン状態で使用するタイマーＴを接続することもできる。また、朝、例えば７時にオン動作し、１２時間後の夜７時にオフ動作するようにセットして夜間はオフ状態を維持し、翌朝の７時頃に再びオン動作するように毎日繰り返し動作を自動で連続動作させるプログラムタイマーＰＴを接続することもできる。これにより、紫外線灯Ｌや循環ポンプＰＯ又は攪拌羽根１０のモータＭの運転・停止を時間制御（昼間に運転、夜間に停止）させることもできる。
【００３３】
上記第３及び第４の実施の形態のごみ箱３００，４００によると、容器本体１内への自動給水と、紫外線灯Ｌや循環ポンプＰＯ又は攪拌羽根１０の時間管理に基づく自動運転と、処理済の分解物Ｗ１の自動排出とが可能となる。また、その運転サイクルも自動で毎日繰り返される効果が発揮される。
【産業上の利用可能性】
【００３４】
本考案のごみ箱は、その対象をトイレ用としたものを示したが、これに限らず様々な用途への適用が可能である。例えば、病院等の衛生管理や台所等の家庭内の他の場所に設置される使用済紙類のごみ箱にも適用できるものである。
【図面の簡単な説明】
【００３５】
【図１】本考案の第１の実施の形態を示し、ごみ箱の斜視図である。
【図２】本考案の第１の実施の形態を示し、ごみ箱の縦断面図である。
【図３】本考案の第１の実施の形態を示し、ごみ箱の横断面図である。
【図４】本考案の第１の実施の形態を示し、ごみ箱の電気回路図である。
【図５】本考案の第１の実施の形態を示し、変更例の電気回路図である。
【図６】本考案の第２の実施の形態を示し、ごみ箱の断面図である。
【図７】本考案の第２の実施の形態を示し、ごみ箱の電気回路図である。
【図８】本考案の第２の実施の形態を示し、変更例の電気回路図である。
【図９】本考案の第３の実施の形態を示し、ごみ箱の断面図である。
【図１０】本考案の第４の実施の形態を示し、ごみ箱の断面図である。
【符号の説明】
【００３６】
１            容器本体
１Ａ          内壁面
１Ｂ          床板
１Ｆ          底板
３            蝶番
５            蓋
５Ａ          開口縁
７            網籠体
８            邪魔板
９Ａ          溢水口
９Ｂ          排水管
１０          攪拌羽根
１１          コンセント
ＣＯ          制御部
ＬＣ          酸化チタン
Ｌ            紫外線灯
Ｍ            モータ
Ｐ            使用済紙
Ｐ１，Ｐ２    循環管
ＰＯ          循環ポンプ
Ｏ            汚物
Ｓ１          スイッチ手段
ＳＯ          電源スイッチ
Ｔ            タイマー
ＰＴ          プログラムタイマー
Ｖ１          供給弁
Ｖ２          排水弁
Ｗ            水
Ｗ１          分解物
１００        ごみ箱
２００        ごみ箱
３００        ごみ箱
４００        ごみ箱
【図１】
0003111668.tif 000003
【図２】
0003111668.tif 000004
【図３】
0003111668.tif 000005
【図４】
0003111668.tif 000006
【図５】
0003111668.tif 000007
【図６】
0003111668.tif 000008
【図７】
0003111668.tif 000009
【図８】
0003111668.tif 000010
【図９】
0003111668.tif 000011
【図１０】
0003111668.tif 000012